(57)【要約】【課題】必要深さの切断などの精密細工に有用であるような手引き鋸の提供。【解決手段】鋸刃１４を支える背金１３を有した手引き鋸１１であって、上記背金１３の上端縁に、鋸刃１４が出入りする開口部１５を形成し、上記背金１３に保持する鋸刃１４の背金１３に対する上下方向での位置を変更可能に構成し、上記鋸刃１４には、刃先２０から上記背金１３の下端１３ｅまでの長さを示す目盛２６を形成した手引き鋸１１。【選択図】    図１
2005001220.tif 000002
【特許請求の範囲】
【請求項１】
鋸刃を支える背金を有した手引き鋸であって、
上記背金の上端縁に、鋸刃が出入りする開口部を形成し、
上記背金に保持する鋸刃の背金に対する上下方向での位置を変更可能に構成し、上記鋸刃には、刃先から上記背金の下端までの長さを示す目盛を形成した手引き鋸。
【請求項２】
前記背金を２枚の背金担体と、これら背金担体間に介在して背金担体間に鋸刃の厚みと対応する間隔の隙間を形成するスペーサとを重合して形成した請求項１に記載の手引き鋸。
【請求項３】
前記背金を、焼入れ鋼材を用いて形成した請求項１または請求項２に記載の手引き鋸。
【請求項４】
前記鋸刃の長さ方向の両側部に、上下方向に延びる長孔を形成するとともに、前記背金における上記長孔の対応位置には、鋸刃の上下方向での位置を決める締結手段を設けた請求項１から請求項３のうちのいずれか一項に記載の手引き鋸。
【請求項５】
前記締結具をねじを用いて形成するとともに、前記長孔の径を、上記ねじの径よりも大きく形成した請求項４に記載の手引き鋸。
【請求項６】
前記背金の鋸刃取り付け部位を、背金の基部の延長線上よりも下方に傾けて、鋸刃に切り込み角度を持たせた請求項１から請求項５のうちのいずれか一項に記載の手引き鋸。
【発明の詳細な説明】
【０００１】
【発明の属する技術分野】
この発明は、手引き鋸に関し、より詳しくは、必要な深さの溝を切るなどの精密加工に適した手引き鋸に関する。
【０００２】
【従来の技術】
上述のような鋸としては、特許文献１に開示されている鋸がある。この鋸は、鋸刃の側面に、上下動可能で位置決め可能なストッパを取り付けたものである。
ストッパは、Ｌ字形をなし、下端のストッパ片と刃先との間の距離を、切断したい深さに対応させて使用し、ストッパ片が被切断材の上面に当たるまできり進むことで、必要深さの切断ができるというものである。
【０００３】
しかし、このような鋸では、柄に一体化された鋸刃にストッパを取り付けた構成であるので、鋸刃を替えることができない難点がある。
【０００４】
また、精密細工用の鋸には、通常０．３ｍｍほどの薄い鋸刃を使用するが、このような薄い鋸刃に上記構成を採用すると鋸刃がブレやすく、素人にとっても使用し難い。
【０００５】
【特許文献１】
特開２０００−３４３５０３号公報。
【０００６】
【発明が解決しようとする課題】
そこでこの発明は、必要深さの切断などの精密細工に有用であるような手引き鋸の提供を主たる課題とする。
【０００７】
【課題を解決するための手段】
そのための手段は、鋸刃を支える背金を有した手引き鋸であって、上記背金の上端縁に、鋸刃が出入りする開口部を形成し、上記背金に保持する鋸刃の背金に対する上下方向での位置を変更可能に構成し、上記鋸刃には、刃先から上記背金の下端までの長さを示す目盛を形成した手引き鋸であることを特徴とする。
【０００８】
すなわち、この手引き鋸の使用に当たっては、背金に保持した鋸刃を上下動させ、刃先から背金の下端までの長さを、目盛を見ながら切断したい深さに合わせればよい。開口部から鋸刃を出せば出すほど、切り込み深さが浅くなる。切断は、まず鋸刃で切り込んで通常通りに切断してゆき、切断に従って背金が水平になるように手前に傾けてゆくと、所定深さまで切断したときに背金の下端が被切断材の上面に当たる。
【０００９】
普通の鋸として使用するには、鋸刃を最も下、またはそれに近い適宜位置まで下げる。
【００１０】
切断作業時には、背金が鋸刃を支えている。
【００１１】
また、目立てなどの手入れ時や鋸刃の交換時には、鋸刃を背金から外せる。
【００１２】
上記背金は、２枚の背金担体と、これら背金担体間に介在して背金担体間に鋸刃の厚みと対応する間隔の隙間を形成するスペーサとを重合して形成するとよい。
【００１３】
上記背金を、焼入れ鋼材を用いて形成すると、鋸刃の支持が強固に行えるので、好ましい。
【００１４】
また、鋸刃の上下動可能にするには、上記鋸刃の長さ方向の両側部に、上下方向に延びる長孔を形成するとともに、前記背金における上記長孔の対応位置には、鋸刃の上下方向での位置を決める締結手段を設けるとよい。
【００１５】
この場合、上記締結具をねじを用いて形成するとともに、前記長孔の径を、上記ねじの径よりも大きく形成すると、鋸刃を必要に応じて傾けることができる。
【００１６】
さらに、上記背金の鋸刃取り付け部位を、背金の基部の延長線上よりも下方に傾けて、鋸刃に切り込み角度を持たせた
【発明の効果】
すなわち、上述の構成によれば、鋸刃は、柄に直接取り付けているのではなく、背金に保持させているので、必要に応じて着脱でき、交換も可能である。
【００１７】
また、背金の下端から刃先が出る長さを、目盛を見て切断したい深さに設定することで、必要な深さの切断が容易である。
【００１８】
しかも、鋸刃は背金によって支持されているので、鋸刃が切断作業中にブレることはなく、切断作業は容易である。精密細工用に超薄刃の鋸刃を使用しても、容易に切断できる。
【００１９】
請求項２に係る発明のように、背金を２枚の背金担体とスペーサとを用いて形成することで、背金が鋸刃により密着させることができるので、上記効果はより高まる。
【００２０】
請求項３に係る発明のように、従来背金に用いられていた軟鉄ではなく、焼入れ鋼材を用いて背金を形成すると、剛性が高まってしっかりと鋸刃を支えることができ、上記効果を助長し、ブレのないよい切れ味を得られる。
【００２１】
請求項４に係る発明のように、鋸刃の上下動および位置固定のための構成を長孔と締結手段とで構成すると、締結手段を締めることによって背金と鋸刃との密着がより強くなって一体性が増すので、さらに一層上記ブレがないという効果を高めることが出来る。また、上下動作業も容易であって、深さの異なる切断を多く行う仕口の加工などに便利である。
【００２２】
請求項５に係る発明のように、鋸刃に形成する長孔の径を、締結手段を構成するねじの径よりも大きく形成することで、鋸刃を傾けることができるので、例えば切断作業を行う姿勢など様々な条件に応じて傾けて使用することもできて便利である。
【００２３】
請求項６に係る発明のように、背金の鋸刃取り付け部位を傾けて、鋸刃に切り込み角度を持たせると、背金を水平にしての切断作業もよく行える。すなわち、所定深さの切断時には最終的に背金を水平にしなければならないが、切り込み角度を持たせていないと、背金を水平にしたときにすべるような感じがして切れないが、この発明によれば、良好な切断動作が可能である。
【００２４】
【発明の実施の形態】
この発明の一実施の形態を、以下図面を用いて説明する。
図１は、手引き鋸１１の正面、図２は背面、図３は平面と底面（ａが平面でｂが底面）、図４は左右の側面（ａが左側面でｂが右側面）を示しており、この手引き鋸１１は、柄部材１２と、この柄部材１２の先端に取り付けられた背金部材１３と、この背金部材１３に着脱可能に保持される鋸刃１４とで構成している。
【００２５】
柄部材１３は木材等で構成し、上記背金部材１３の基部を差し込んで一体に固定している。
【００２６】
背金部材１３は、図５に示したように鋸刃１４を上下方向での位置を変更可能に保持するもので、図６に示したように上端縁に、鋸刃１４が出入りする開口部１５を形成している。
【００２７】
この開口部１５を形成するため、背金部材１３は、図７に示したように２枚の背金担体１６，１６と、これらの間に介在する２つのスペーサ１７，１８とを重合して構成している。
【００２８】
すなわち、背金部材１３は、上記柄部材１２に差し込まれる基部１３ａの先に、上下に係止用の段部１３ｂ，１３ｂを有し、基部１３ａよりも太幅の根元部１３ｃを有し、該根元部１３ｃから先に、根元部１３ｃよりも細幅で帯状に延びる鋸刃取り付け部１３ｄを延設した形状であり、上記背金担体１６は、上述のような背金部材１３の形状に対応した形に形成している。
【００２９】
背金担体１６の材料には、焼入れ鋼材を用い、剛性を持たせる。その厚みは、例えば鋸刃の厚みが０．３ｍｍ程度である場合には、１．２ｍｍ程度に設定するとよい。
【００３０】
上記スペーサ１７，１８のうちの１つ、第１スペーサ１７は、上記背金担体１６の基部１６ａと根元部１６ｃの一部とに対応する形で、他のスペーサである第２スペーサ１８は、背金担体１６の先端部に対応する円板状である。そしてその厚みは、鋸刃１４と同じ厚みであり、重合すると図８に示したように長さ方向の両端部以外に、鋸刃１４を出し入れ・保持可能な隙間１９を有した形になる。
【００３１】
重合は、スポット溶接など適宜の方法で行うとよい。この例では、第２スペーサ１８を重合する部分についてはカシメ方法を採用している。
【００３２】
上述のように第１スペーサ１７および第２スペーサ１８の厚みと鋸刃１４の厚みを同一に設定しているので、鋸刃１４を取り付けたときには図６に示したように背金担体１６が鋸刃１４の両面に密着した状態になる。
【００３３】
鋸刃１４は刃幅が広めの帯状に形成し、下端縁に刃先２０を有している。そして刃渡り方向の両側部に、上下方向に延びる平行な長孔２１，２１を形成している。そしてこの長孔２１と対応する上記背金担体１６における鋸刃取り付け部１６ｄの前後２箇所には、貫通孔２２，２２を形成する。この貫通孔２２には、締結手段としてのねじ２３と蝶ナット２４を取り付け、蝶ナット２４を緩めることで鋸刃１４を上下動でき、蝶ナットを締めることで鋸刃を固定できるようにしている。ねじ２３の頭部と蝶ナット２４には合成樹脂製のものを用いると、他に部材を用いずとも簡単にしっかりと締めることができる。
【００３４】
刃渡りは、鋸刃１４の後端縁が背金部材１３の根元部１３ｃに適宜幅ｗ、例えば１ｍｍ程度入り込む長さに設定し、係合縁２５を形成する（図５参照）。この係合縁２５の形成により、鋸刃１４がブレないようにより一層しっかりと保持することができる。
【００３５】
なお、上記長孔２１の径は、ねじ２３の径よりも大きく設定しておく。ねじ２３の径が例えば４ｍｍである場合には、長孔２１の径を約５．２ｍｍ程度に設定する。このように構成すると、ねじ２３と長孔２１との間に遊びができるので、鋸刃１４を傾けて固定することができる。例えば切断作業を行う姿勢など様々な条件に応じて傾けて使用することができて便利である。
【００３６】
また、鋸刃１４の片面における長孔２１の傍らには、刃先２０から背金部材１３の下端１３ｅまでの長さを示す目盛２６を形成している。目盛２６は図９に示したように１ｍｍ単位でつけ、目盛にあわせた数字２６ａを付設するとよい。
【００３７】
上記背金部材１３の鋸刃取り付け部１３ｄの下端１３ｅは、直線状に形成し、この方向性は、背金部材１３の基部１３ａの延長線、すなわち柄部材１２の延長線方向よりも下方に適宜角度傾けている（図１参照）。傾けることにより、鋸刃１４に切り込み角度αを持たせる。切り込み角度αは、およそ５度くらいがよい。
【００３８】
このように構成した手引き鋸１１で図１０に示したように角材３０の端部に仕口加工をする例を示すと、切断したい深さＤに合わせて背金部材１３から下に突出する鋸刃１４の長さを調節する。蝶ナット２４を緩めて鋸刃１４を動かし、２箇所の目盛を利用して突出長さを設定すればよいので簡単である。
【００３９】
そしてしっかりと位置決めした後、鋸刃１４を前方に傾けて斜めにして、切り込んでゆき、切り込むにしたがって、鋸刃１４を水平にしてゆく、そして、水平にしてさらに切り進んで、背金部材１３の下端１３ｅが角材３０の上面に当接したときが、所定深さの切断が完了したときとなる。
【００４０】
背金部材１３を傾けて鋸刃１４に切り込み角度αを持たせ、背金部材１３の角度と柄部材の角度を鈍角に設定しているので、鋸刃１４を水平にしたとき、すなわち背金部材１３を水平にしたときでも柄部材１２が水平にならないので、鋸の重みで食い込む、良好な切断が行える。
【００４１】
次の切込みを行うときには、切り込む深さにあわせて鋸刃１４の突出量を調節し、上記と同様の作業を行う。
【００４２】
鋸刃１４を適宜突出させれば、切り込み深さを作業者自らが決める普通の鋸して使用できる。
【００４３】
また、手入れや鋸刃１４の交換の時には鋸刃１４を外す。外し方は、蝶ナット２４を緩め、ねじを外せばよい。鋸刃１４は、必要に応じて着脱でき、交換も可能であるので、切断深さを深くする必要がある場合などは、刃幅の広い鋸刃に替えて使用することもできる。
【００４４】
また、鋸刃１４には目盛２６を付しているので、調節作業は簡単である。
【００４５】
しかも、鋸刃１４は背金部材１３によって密着して支持されているので、鋸刃１４が切断作業中にブレることはなく、切断作業は容易である。上述例のように０．３ｍｍほどの超薄刃の鋸刃を使用しても、容易に切断できる。
【００４６】
そして上記背金部材１３を構成する背金担体１６は、焼入れ鋼材で形成しているので、剛性が高まってしっかりと鋸刃を支えることができ、上記効果を助長し、ブレのないよい切れ味を得られる。
【００４７】
この効果は、鋸刃１４の上下動および位置固定のための構成を、長孔２１およびねじ２３と蝶ナット２４とで構成したことにより、一層高められる。すなわち、蝶ナットを締めることによって背金部材１３と鋸刃１４との密着度がより高くなって一体性が増し、ひとつの部材のようになる。
【００４８】
上記一実施の形態における背金部材１３は、この発明の背金に対応し、
以下同様に、
鋸刃取り付け部１３ｄは、鋸刃取り付け部位に対応し、
第１スペーサ１７及び第２スペーサ１８は、スペーサに対応し、
ねじ２３及び蝶ナット２４は、締結手段に対応するも、
この発明は、上記一実施の形態の構成のみに限定されるものではない。
【図面の簡単な説明】
【図１】手引き鋸の正面図。
【図２】手引き鋸の背面図。
【図３】手引き鋸の平面および底面図。
【図４】手引き鋸の側面図。
【図５】作用状態の要部側面図。
【図６】図５のＡ−Ａ部切断拡大端面図。
【図７】背金部材の分解斜視図。
【図８】背金部材の拡大平面図。
【図９】鋸刃の一部拡大正面図。
【図１０】作用状態の説明図。
【符号の説明】
１１…手引き鋸
１３…背金部材
１３ｄ…鋸刃取り付け部
１３ｅ…下端
１４…鋸刃
１５…開口部
１６…背金担体
１７…第１スペーサ
１８…第２スペーサ
１９…隙間
２０…刃先
２１…長孔
２３…ねじ
２４…蝶ナット
２６…目盛
α…切り込み角度
【図１】
2005001220.tif 000003
【図２】
2005001220.tif 000004
【図３】
2005001220.tif 000005
【図４】
2005001220.tif 000006
【図５】
2005001220.tif 000007
【図６】
2005001220.tif 000008
【図７】
2005001220.tif 000009
【図８】
2005001220.tif 000010
【図９】
2005001220.tif 000011
【図１０】
2005001220.tif 000012